(57)【要約】【課題】画素サイズが小さいIPS方式の横電界液晶表示装置において、高開口率で画質の劣化が生じない視野角特性に優れた高解像度な表示装置を得る。【解決手段】IPS方式の液晶表示装置における、２本の走査線と２本のデータ線を境界とする各画素において、２本のデータ線のうちの一方のデータ線に近接し、この一方のデータ線に沿って延在するストリップ状の画素電極を配置し、データ線を覆う共通電極を画素電極とは異なる層に形成し、一方のデータ線を覆うように形成された共通電極に、前記画素電極とオーバーラップする領域を設け、画素電極に、上記オーバーラップする共通電極から画素の内側方向にはみ出す領域を設け、画素電極のはみ出す領域のエッジと他方のデータ線を覆う共通電極のエッジとを離間させ、このエッジ間に形成した横電界により液晶を駆動する構成とする。【選択図】図１
2014066997.tif 000002
【特許請求の範囲】
【請求項１】
一対の対向する基板間に液晶が狭持され、前記基板に略平行な電界によってホモジニアス配向させた液晶を変形させることで表示を制御する横電界方式の液晶表示装置において、
一方の基板に複数の走査線と複数のデータ線とが配置され、
２本の走査線と２本のデータ線とを境界とする画素に分割されており、
各々の前記画素には、前記２本のデータ線のうちの一方のデータ線に近接し、当該一方のデータ線に沿って延在するストリップ状の画素電極が配置され、
前記データ線を覆うように共通電極が配置されており、
前記画素電極と前記共通電極とは、絶縁膜を介して異なる層に形成されており、
前記一方のデータ線を覆うように形成された前記共通電極は、前記画素電極とオーバーラップする領域を有し、
かつ、前記画素電極は、前記オーバーラップする共通電極から画素の内側方向にはみ出す領域を有し、
前記画素電極の前記はみ出す領域のエッジと前記２本のデータ線のうちの他方のデータ線を覆うように形成された共通電極のエッジとは離間しており、前記エッジ間に形成される横電界により液晶を駆動することを特徴とする横電界方式の液晶表示装置。
【請求項２】
請求項１に記載の横電界方式の液晶表示装置において、
前記画素電極と前記共通電極とがオーバーラップする領域において、前記共通電極は、前記画素電極よりも液晶層に近い側に配置されることを特徴とする横電界方式の液晶表示装置。
【請求項３】
請求項２に記載の横電界方式の液晶表示装置において、
前記画素電極と前記データ線とは、共通の絶縁膜上に形成されていることを特徴とする横電界方式の液晶表示装置。
【請求項４】
請求項２に記載の横電界方式の液晶表示装置において、
前記画素電極と前記データ線との間には、絶縁膜が形成されていることを特徴とする横電界方式の液晶表示装置。
【請求項５】
請求項１に記載の横電界方式の液晶表示装置において、
前記画素電極と前記共通電極とがオーバーラップする領域において、前記画素電極は、前記共通電極よりも液晶層に近い側に配置されることを特徴とする横電界方式の液晶表示装置。
【請求項６】
請求項２乃至４のいずれか一項に記載の横電界方式の液晶表示装置において、
前記画素電極は、前記オーバーラップする共通電極から画素の内側方向にはみ出す領域を有し、その前記画素電極のはみ出す領域の幅をａとし、
前記画素電極の前記はみ出す領域のエッジと、前記２本のデータ線のうちの他方のデータ線を覆うように形成された共通電極のエッジとは離間しており、前記エッジ間の距離をｂとした場合、
ａとｂの関係が、ｂ／ａ≦３を満たすことを特徴とする横電界方式の液晶表示装置。
【請求項７】
請求項５に記載の横電界方式の液晶表示装置において、
前記一方の基板と対向する基板側に前記走査線方向および前記データ線方向に沿って格子状にブラックマトリクスが配置され、当該画素と前記画素電極に最も近接する画素の境界に前記データ線方に沿って配置されるブラックマトリクスの前記画素電極と遠い側のエッジと、前記共通電極とオーバーラップする領域の前記画素電極のエッジとの距離をｃとした場合、
ｃ≧６μｍを満たすことを特徴とする横電界方式の液晶表示装置。
【請求項８】
請求項１乃至７のいずれか一項に記載の横電界方式の液晶表示装置において、
前記データ線と前記共通電極と前記画素電極とは、液晶の初期配向に関して対称な向きに屈曲していることを特徴とする横電界方式の液晶表示装置。
【請求項９】
請求項１乃至８のいずれか一項に記載の横電界方式の液晶表示装置において、
前記画素電極と前記共通電極との間の横電界を形成する領域の端部における液晶の回転方向が、当該端部の近傍において、前記画素電極の前記はみ出す領域のエッジと前記他方のデータ線を覆うように形成された共通電極との間に形成される横電界による液晶の回転方向と同一となるように、前記画素電極の配置と前記共通電極の配置が規定されることを特徴とする横電界方式の液晶表示装置。
【請求項１０】
請求項１乃至９のいずれか一項に記載の横電界方式の液晶表示装置において、
前記画素電極が画素右側の共通電極とオーバーラップしている第１画素と、前記画素電極が画素左側の共通電極とオーバーラップしている第２画素と、を有していることを特徴とする横電界方式の液晶表示装置。
【請求項１１】
請求項１０に記載の横電界方式の液晶表示装置において、
前記第１画素と前記第２画素との組合せに関して、画素のＲＧＢを構成するサブ画素の組を１セットとするとき、１セット内では、同じ側の共通電極と前記画素電極とがオーバーラップしていることを特徴とする横電界方式の液晶表示装置。
【発明の詳細な説明】
【技術分野】
【０００１】
本発明は、横電界方式の液晶表示装置に関し、特に、高精細で高開口率を有する横電界方式のアクティブマトリクス型液晶表示装置に関する。
【背景技術】
【０００２】
近年、スマートフォンやタブレットPCが急速に普及してきている。これらの端末は、携帯が可能な画面サイズでありながら、かつ多くの情報を高画質で表示することが求められている。そのため、表示装置では、高解像度の特性を有した、IPS（In-plane Switching）方式やFFS（Fringe field Switching）方式と言われる基板に略平行な電界を印加して、液晶分子を基板に略平行な面で回転させる視野角特性に優れた横電界方式の液晶表示装置が用いられている。
【０００３】
一般的には、ストリップ状の画素電極と共通電極との間に生成される横電界を適用するIPS方式の方が、平面状の電極の上にストリップ状の電極を配置して形成されるフリンジ電界を用いるFFS方式に比べて、視野角特性に優れているものの、非常に高精細な画素においては、IPS方式では下記のような問題が発生する。
【０００４】
図１６、図１７に従来のIPS方式の平面図およびＡ−Ａ’断面図をそれぞれ示す（従来例１）。データ線５から発せられる電界を遮断させるために、このデータ線５を覆うように絶縁膜を介して共通電極１を配置する。これと一定の間隔だけ離れた位置にストリップ状の画素電極２を配置する。１画素のサイズが90μm程度以下の高精細の液晶表示においては、ＲＧＢ（Ｒ；赤画素、Ｇ；緑画素、Ｂ；青画素）に分けたサブ画素の各々の横方向の長さは30μm程度以下となるため、画素電極は１本のみとして、データ線に沿って延在させることにより、開口率を高くすることができる。
【０００５】
従来の一般的なIPS方式の液晶表示装置においては、画素電極とサブ画素の両側に配置されている共通電極との間隔をほぼ均等に取ることが多い。ここで、データ線５の幅を3μm、共通電極１の幅を9μm、画素電極２の幅を3μmとして、１画素のサイズを小さくしていったときの、共通電極と画素電極との間の電極間隔は図１８のようになる。この場合、画素サイズが50μmより小さくなると、電極間隔が3μmより小さくなるため、電極の幅に対して、十分に電極間隔が取れなくなってしまい、光利用効率が著しく低下してしまうという問題がある。
【０００６】
一方、特許文献１には、画素電極と共通電極とを画素の両側に１本ずつ形成して、画素電極と共通電極との間隔を一つだけにすることにより、電極間隔を広くする方法が開示されている（従来例２）。図１９は、当該の従来技術を示すものである。図１９（ａ）は一画素の平面図を示し、（ｂ）は（ａ）中のＢ−Ｂ’の断面図を示す。当該の従来技術においては、図１９に示すように、データ線１０６を覆うように形成した凸形状部１０１の側壁の一方に画素電極１０５を形成し、他方には共通電極１０４を形成し、この間に横電界を印加させ、液晶を駆動させる構造である。
【０００７】
しかしながら、データ線１０６の直上を電極で覆うことがないため、データ線１０６からの電界の漏れを抑制するために、共通電極１０４と画素電極１０５を広くとる必要がある。構造上、本発明と同様に１組の画素電極と共通電極との間の横電界で液晶を駆動しているが、上述の理由のために実質的に開口率を広くとることができないという課題がある。また、凸形状部を形成させているため、１画素のサイズが90μm程度以下になると、画素の半分以上は凸形状部が占める事になり、凸形状部が配置されない開口部におけるラビング等による液晶分子の初期配向の付与が困難になり、画質の低下を招くという課題もある。
【先行技術文献】
【特許文献】
【０００８】
【特許文献１】特開２００６−２６７３１７号公報
【発明の概要】
【発明が解決しようとする課題】
【０００９】
上述のように、IPS方式の横電界液晶表示装置においては、１画素のサイズが小さくなり、特に50μm以下となる場合、共通電極と画素電極との間隔が小さくなるため、光利用効率を著しく低下させてしまうという課題があった。
【００１０】
本発明は、上記問題点に鑑みてなされたものであって、その主たる目的は、画素サイズが小さいIPS方式の横電界液晶表示装置において、高開口率で画質の劣化が生じない視野角特性に優れた高解像度な表示装置を得ることにある。
【課題を解決するための手段】
【００１１】
上記目的を達成するため、本願の第１の発明の液晶表示装置は、一対の対向する基板間に液晶が狭持され、前記基板に略平行な電界によってホモジニアス配向させた液晶を変形させることで表示を制御する横電界方式の液晶表示装置において、一方の基板に複数の走査線と複数のデータ線とが配置され、２本の走査線と２本のデータ線とを境界とする画素に分割されており、各々の前記画素には、前記２本のデータ線のうちの一方のデータ線に近接し、当該一方のデータ線に沿って延在するストリップ状の画素電極が配置され、前記データ線を覆うように共通電極が配置されており、前記画素電極と前記共通電極とは、絶縁膜を介して異なる層に形成されており、前記一方のデータ線を覆うように形成された前記共通電極は、前記画素電極とオーバーラップする領域を有し、かつ、前記画素電極は、前記オーバーラップする共通電極から画素の内側方向にはみ出す領域を有し、前記画素電極の前記はみ出す領域のエッジと前記２本のデータ線のうちの他方のデータ線を覆うように形成された共通電極のエッジとは離間しており、前記エッジ間に形成される横電界により液晶を駆動することを特徴とするものである。
【００１２】
このようにすることにより、前記画素電極の前記共通電極からはみ出す領域のエッジと、この画素電極が近接しない方のデータ線を覆うように形成した共通電極のエッジとの間の距離を最も大きくすることができる。また、前記画素電極と前記共通電極とがオーバーラップしているため、前記画素電極と対向して横電界を生ずるところの前記共通電極に対して反対の方向には、画素電極と共通電極の隙間が生じない。そのため、この部分で、電圧−透過率特性が異なる領域が発生することがなく、効率よく表示を制御できる。また、共通電極と画素電極とがオーバーラップしていることにより、この部分で蓄積容量を形成することができるため、これ以外の領域で形成する蓄積容量の面積を減ずることができ、さらに高開口率化が図れる。また、データ線からの電界を、データ線上に配置する共通電極だけでなく、これとオーバーラップするように配置する画素電極によってもシールドすることになるので、より電界のシールドが完全となる。
【００１３】
前記共通電極と前記画素電極がオーバーラップする領域で、前記画素電極は、前記共通電極から1μm以上外側にはみ出して形成することが好ましい。これにより、前記画素電極と、対向する側にある前記共通電極との間に、有効な横電界を形成することが可能になる。
【００１４】
図２０に、上述した本発明のIPS方式の液晶表示装置の画素サイズと電極間隔の関係を示す。データ線の幅を3μm、共通電極の幅を9.5μm（画素電極とオーバーラップさせる側でデータ線からの張出し幅を3.5μm、データ線上の幅3μm、画素電極とオーバーラップさせない側でデータ線からの張出し幅を3μm、これらの合計は9.5μm）、画素電極の幅を3μm（共通電極とオーバーラップさせる幅を1.5μm、共通電極からはみ出させる幅を1.5μm）としている。また、従来のように画素電極を画素中央部に配置して、画素電極と共通電極との間隔を２本形成する場合の画素サイズと電極間隔の関係も比較できるよう図示している。図２０が示すように、本発明の構造を適用することで、画素サイズが小さいIPS方式でも横電界を発生させる共通電極と画素電極の間隔が大きくとれ、従来のIPS方式の構造より高開口率である横電界方式液晶表示装置を得ることが可能となる。
【００１５】
本願の第２の発明は、第１の発明の横電界方式の液晶表示装置において、前記画素電極と前記共通電極とがオーバーラップする領域において、前記共通電極は前記画素電極よりも液晶層に近い側に配置されることを特徴とする。
【００１６】
前記共通電極を液晶層に近い側にすることにより、前記画素電極と前記共通電極との間の絶縁膜を、前記共通電極と前記データ線との間の層間絶縁膜の全部もしくは一部で代用することができるため、絶縁膜の形成回数を少なくすることができて、より低コストで形成することができる。
【００１７】
本願の第３の発明は、第２の発明の横電界方式の液晶表示装置において、前記画素電極と前記データ線とは、共通の絶縁膜上に形成されていることを特徴とする。
【００１８】
このようにすることにより、前記共通電極と前記データ線との間の層間絶縁膜を、前記共通電極と前記画素電極との間の層間絶縁膜と共通にすることができるため、絶縁膜の形成回数を最も少なくすることができる。
【００１９】
本願の第４の発明は、第２の発明の横電界方式の液晶表示装置において、前記画素電極と前記データ線との間には、絶縁膜が形成されていることを特徴とする。
【００２０】
このように第２の発明において、前記画素電極と前記データ線との間に絶縁膜が形成されることにより、画素電極もしくはデータ線のパタン崩れに伴う相互の電極間の短絡を防止することができる。
【００２１】
本願の第５の発明は、第１の発明の横電界方式の液晶表示装置において、前記画素電極と前記共通電極とがオーバーラップする領域において、前記画素電極は前記共通電極よりも液晶層に近い側に配置されることを特徴とする。
【００２２】
このように前記画素電極を前記液晶層に近い側に配置することにより、前記画素電極と離間して対向する前記共通電極との間の電界が液晶層にかかりやすくなる。このため、画素電極に印加する電圧を低減することができる利点がある。
【００２３】
本願の第６の発明は、第２の発明ないし第４の発明の横電界方式の液晶表示装置において、前記画素電極が前記オーバーラップする共通電極から画素の内側方向にはみ出す領域の幅をａとし、前記画素電極の前記はみ出す領域のエッジと前記２本のデータ線のうちの他方のデータ線を覆うように形成された共通電極のエッジとの間の距離をｂとした場合、ａとｂの関係がｂ／ａ≦３を満たすことを特徴とする。
【００２４】
この関係を満たすことにより、液晶分子には効率よく横電界がかかり、より高い透過率が得られる。
【００２５】
本願の第７の発明は、第５の発明の横電界方式の液晶表示装置において、前記一方の基板と対向する基板側に前記走査線方向および前記データ線方向に沿って格子状にブラックマトリクスが配置され、当該画素と前記画素電極に隣接する画素の境界に前記データ線方に沿って配置されるブラックマトリクスの前記画素電極と遠い側のエッジと、前記共通電極とオーバーラップする領域の前記画素電極のエッジとの距離をｃとした場合、ｃ≧６μｍを満たすことを特徴とする。
【００２６】
この関係を満たすことにより、当該画素内で発生した電界が隣接画素の開口部まで浸入することはないため、表示画質を劣化させることなく、液晶分子には効率よく横電界がかかり、より透過率の向上を達成することが可能となる。
【００２７】
本願の第８の発明は、第１の発明ないし第７の発明の横電界方式の液晶表示装置において、前記データ線と前記共通電極と前記画素電極とは、液晶の初期配向に関して対称な向きに屈曲していることを特徴とする。
【００２８】
このようにすることにより、前記画素電極と前記共通電極との間に電圧を印加した際の液晶の回転方向を２方向とすることができるため、視野角をさらに改善することが可能となる。
【００２９】
本願の第９の発明は、第１の発明ないし第８の発明の横電界方式の液晶表示装置において、前記画素電極と前記共通電極との間の横電界を形成する領域の端部における液晶の回転方向が、当該端部の近傍において、前記画素電極の画素内側のエッジと前記他方のデータ線を覆うように形成された共通電極との間に形成される横電界による液晶の回転方向と同一となるように、前記画素電極の配置と前記共通電極の配置が規定されることを特徴とする。
【００３０】
これにより、画素電極と共通電極との間の横電界を形成する領域（コラム）内における液晶の配向が安定し、コラム端における光利用効率を上げることができ、輝度・コントラスト等を向上できるとともに、指押し等の表示画面への圧力等に対しても、表示を安定させることができる。
【００３１】
本願の第１０の発明は、第１の発明ないし第９の発明の横電界方式の液晶表示装置において、前記画素電極が画素右側の共通電極とオーバーラップしている第１画素と、前記画素電極が画素左側の共通電極とオーバーラップしている第２画素と、を有していることを特徴とする。
【００３２】
別途実施例において詳述するように、第１の発明ないし第９の発明の画素構造では、一画素の左右の視野角特性が非対称となる。第１０の発明のように、２種類の画素を表示装置面に配置することにより、お互いに左右の視野角特性を補償することができるため、さらに視野角を改善することができる。
【００３３】
本願の第１１の発明は、第１０の発明の横電界方式の液晶表示装置において、前記第１画素と前記第２画素との組合せに関して、画素のＲＧＢを構成するサブ画素の組を１セットとするとき、１セット内では、同じ側の共通電極と前記画素電極とがオーバーラップしていることを特徴とする。
【００３４】
このようにＲＧＢを構成するサブ画素で同じ側の共通電極と画素電極とがオーバーラップしている画素を配置することにより、サブ画素内のＲＧＢごとで左右の視野角特性が異なることにより、斜め視野から色つきが生じるといった不具合を引き起こすことがなくなる。
【発明の効果】
【００３５】
本願発明により、高精細かつ高画質で高開口率を有するIPS方式の液晶表示装置を提供することが可能となる。
【図面の簡単な説明】
【００３６】
【図１】本発明の第１の実施例に係る液晶表示装置の１画素の構成を示す平面図である。
【図２】本発明の第１の実施例に係る液晶表示装置の平面図を示す図１におけるＡ-Ａ’の断面図である。
【図３】本発明の第２の実施例に係る液晶表示装置の１画素の構成を示す平面図である。
【図４】本発明の第３の実施例に係る液晶表示装置の１画素の構成を示す平面図である。
【図５】本発明の第４の実施例に係る液晶表示装置の１画素の構成を示す平面図である。
【図６】本発明の第４の実施例に係る液晶表示装置の平面図を示す図５におけるＡ-Ａ’の断面図である。
【図７】本発明の第５の実施例に係る液晶表示装置の１画素の構成を示す平面図である。
【図８】本発明の第５の実施例に係る液晶表示装置の平面図を示す図７におけるＡ-Ａ’の断面図である。
【図９】本発明の第６の実施例に係る液晶表示装置の画素I、画素IIの二種類の画素の構成を示す平面図である。
【図１０】本発明の第６の実施例に係る液晶表示装置の平面図を示す図９における画素IのＡ−Ａ’部の断面図と、図９における画素IIのＢ−Ｂ’部の断面図である。
【図１１】実施例１ないし５における画素の斜め電界を示した断面図である。
【図１２】実施例６における画素I、画素IIの斜め電界を示した断面図である。
【図１３】本発明の第７の実施例に係る液晶表示装置の表示画面の構成を示す平面図である。
【図１４】本発明の第８の実施例に係る液晶表示装置の表示画面の構成を示す平面図である。
【図１５】本発明の第９の実施例に係る液晶表示装置の表示画面の構成を示す平面図である。
【図１６】従来のIPS方式の液晶表示装置の平面図である。
【図１７】図１６におけるＡ−Ａ’部の断面図である。
【図１８】従来のIPS方式の液晶表示装置の画素サイズと電極間隔の関係を示すグラフである。
【図１９】関連技術における液晶表示装置を説明する図であり、（ａ）は平面図で、（ｂ）は（ａ）中のＢ−Ｂ’部の断面図である。
【図２０】従来のIPS方式の液晶表示装置の画素サイズと電極間隔の関係、および、本発明のIPS方式の液晶表示装置の画素サイズと電極間隔の関係を示すグラフである。
【図２１】本発明の第１の実施例に係る液晶表示装置の１画素の構成を示す図であり、液晶分子を逆回転させる横方向電界と、それによるディスクリネーションの発生領域を示す平面図である。
【図２２】本発明の第１０の実施例に係る液晶表示装置のデータ線方向から見た１サブ画素の断面図である。
【図２３】本発明の第１０の実施例に係る、画素電極の共通電極からの張り出し幅ａと、電極間隔ｂの関係を示すグラフである。
【図２４】本発明の第１０の実施例に係る、画素電極の共通電極からの張り出し幅ａと、最大透過率となる電圧の関係を示すグラフである。
【図２５】本発明の第１０の実施例に係る、画素電極の共通電極からの張り出し幅ａと、最大透過率の関係を示すグラフである。
【図２６】本発明の第１１の実施例に係る液晶表示装置のデータ線方向から見た１サブ画素の断面図である。
【発明を実施するための形態】
【００３７】
背景技術で示したように、従来の一般的なIPS方式の液晶表示装置では、画素電極とサブ画素の両側に配置される共通電極との間隔をほぼ均等に取ることが多いが、画素サイズが小さくなると、電極の幅に対して十分に電極間隔が取れなくなってしまい、光利用効率が著しく低下してしまう。この問題に対して、特許文献１には、画素電極と共通電極とを画素の両側に１本ずつ形成して電極間隔を広くする構造が開示されているが、この構造では、データ線の直上を電極で覆うことがないため、データ線からの電界の漏れを抑制するために共通電極と画素電極の間隔を広くする必要があり、実質的に開口率を広くとることができない。また、この構造では凸形状部を形成するため、凸形状部が配置されない開口部におけるラビング等による液晶分子の初期配向の付与が困難になり、画質の低下を招いてしまう。
【００３８】
そこで、本発明の一実施の形態では、IPS方式の液晶表示装置における、２本の走査線と２本のデータ線を境界とする各画素において、２本のデータ線のうちの一方のデータ線に近接し、この一方のデータ線に沿って延在するストリップ状の画素電極を配置し、データ線を覆う共通電極を画素電極とは異なる層に形成し、一方のデータ線を覆うように形成された共通電極に、前記画素電極とオーバーラップする領域を設け、画素電極に、上記オーバーラップする共通電極から画素の内側方向にはみ出す領域を設け、画素電極のはみ出す領域のエッジと他方のデータ線を覆う共通電極のエッジとを離間させ、このエッジ間に形成した横電界により液晶を駆動する構成とする。
【実施例１】
【００３９】
上記した本発明の実施の形態についてさらに詳細に説明すべく、本発明の実施例１に係る横電界方式の液晶表示装置について、図１、図２を用いて説明する。図１は、本発明の実施例１に係る液晶表示装置の１画素の構成を示す平面図である。図２は、図１に示すＡ−Ａ’部の断面図であり、液晶層と対向基板も図示している。図１、図２に示す実施例１を、以下詳細に説明する。
【００４０】
まず、実施例１の液晶表示装置の製造方法の一例について、図１及び図２を参照して説明する。なお、以下の説明における各層の材料、厚み、順序等は一例であり、適宜変更可能である。
【００４１】
TFT（Thin Film Transistor）側基板は、第一の透明絶縁性基板１１としてのガラス基板上に、モリブデン合金からなる第一金属層をスパッタにより、300nmの厚さで形成させ、走査線６のパタンに加工する。
【００４２】
次に、ゲート絶縁膜１２として、酸化シリコンを100nm堆積させた後、PCVD（Plasma Chemical Vapor Deposition）法により、窒化シリコンを300nm、i-a-Si（intrinsic amorphous Silicon）を170nm、n-a-Si（n-type amorphous Silicon）を30nm、それぞれ連続的に堆積させる。i-a-Siとn-a-Siとの積層膜は、薄膜半導体層４となる部分を残して、エッチング除去する。
【００４３】
次に、ITO（Indium Tin Oxide）等の透明導電膜により、画素電極２を走査線６の延在方向に直交する方向に、また画素内の開口部となる領域の片側に寄せてストリップ状に40nmの厚さで形成する。
【００４４】
次に、第二金属層として、モリブデン合金の膜を300nm形成させ、データ線５、ソース電極３のパタンに加工する。データ線５は、画素電極２と重ならないように、かつ平行に配置される。また、ソース電極３は、画素電極２と一部重なる領域を持ち、電気的に導通されるように配置される。なお、TFTは、走査線６の一部、ゲート絶縁膜１２、薄膜半導体層４、データ線５の一部、およびソース電極３から構成される。前記画素電極２は、前記データ線５の一方と近接して、これに沿って延在させている。前記画素電極２と前記データ線５との間隔は2μmとした。
【００４５】
次に、第二金属層をマスクとして、TFTの薄膜半導体層４の不要なn-a-Si層をエッチングによって除去する。
【００４６】
次に、パッシベーション膜１３として、窒化シリコンを500nm堆積させる。
【００４７】
次に、表示画面周辺に引き出された走査線６およびデータ線５の端子部で金属層を露出させるために、ゲート絶縁膜１２、およびパッシベーション膜１３の所定部分をエッチング除去する。
【００４８】
次に、ITO（Indium Tin Oxide）等の透明導電膜により、共通電極１を、走査線６およびデータ線５を覆い、かつ、画素電極２の一部を覆うように厚さ80nmで形成する。共通電極１は、表示画面周辺に第一の金属層および、または第二の金属層によって形成された共通電極配線とコンタクトホールを介して導通されるが、図による詳細は省略している。また、共通電極１は、TFTのチャネル部の直上は形成させないようにパタン加工してもよい。
【００４９】
データ線５に沿って延在させた画素電極２と、データ線５を覆うように形成した共通電極１とはオーバーラップした領域を有し、前記画素電極２は、画素の内側方向にはみ出した領域を有する。オーバーラップさせる領域の幅は1.5μｍとし、画素電極２は画素の内側に向けて1.5μｍはみ出させるようにしてある。
【００５０】
上述のようにして形成したTFT側基板に、配向膜１４を塗布、焼成する。一方、対向基板には、ブラックマトリクス１８、カラーフィルタとなる色層１７、オーバーコート１６、および、TFT側基板と対向基板との間に空間を確保させるための柱状スペーサ（図中には示していない）を形成し、更にその上に配向膜１５を塗布、焼成する。
【００５１】
そして、両基板の配向膜１４、１５に対し、走査線６の延在方向に垂直な方向に対して15°傾けた方向にラビング処理を施し、液晶配向方位７をとり、両基板を貼り合せて、周辺をシールで固めて、中に液晶９を注入し、封孔する。液晶セルギャップは3.0μｍになるようにし、屈折率異方性Δｎ=0.10、誘電率異方性Δε=10の液晶９を用いる。液晶９の注入に際しては、十分に液晶９がセル内に入るように、注入時間を十分とって実施する。また、液晶セル内が所定の圧力となるように、加圧を行いながら、封孔を実施する。
【００５２】
上述のようにして作製した液晶表示パネルのTFT側基板に、偏光軸が液晶９のラビング方向となる液晶配向方位７に一致する入射側偏光板１０を貼り付け、対向基板には、クロスニコルとなるように出射側偏光板２０を貼り付ける。更に、周辺に必要な駆動ドライバを実装し、バックライト及び信号処理基板をしかるべき形に組み立てて、アクティブマトリクス型液晶表示装置を作製する。
【００５３】
本実施例１では、液晶表示装置はIPS（In-Plane Switching）モードであり、ラビング方向にホモジニアス配向させた液晶を、データ線５に近接してこれに沿って延在させた画素電極２のエッジと、当該画素電極に近接しない方のデータ線５を覆うように配置した共通電極１のエッジとの間に形成される基板に略平行な横方向電界８により、面内にツイスト変形させることで、画素ごとの透過光量を制御する。以下、上述のように、横電界を発生させる画素電極２と共通電極１との間隔をコラムと称することとする。
【００５４】
また、本実施例１では、解像度が横１０２４×ＲＧＢ、縦７６８のＸＧＡ（Extended Graphics Array）を適用した。画素サイズを42μmとし、データ線幅3μm、データ線上の共通電極幅9.5μm、画素電極とオーバーラップしない側の共通電極のデータ線からの張出し幅3μm、画素電極とオーバーラップする側の共通電極のデータ線からの張出し幅3.5μm、画素電極幅3μm、共通電極と画素電極がオーバーラップする幅1.5μm、画素電極が共通電極からはみ出す幅1.5μmとした。この場合、画素電極と共通電極の間隔は3μmとなる。同様の画素サイズで、従来のIPS構造の場合、共通電極のデータ線からの張出し幅を3μmとすると、画素電極と共通電極の間隔は1μmとなり、トータルでも2μmのため、本発明の構造は従来のIPS構造から50％の開口率を増加させることが可能となる。
【００５５】
こられの条件をもとに、本発明構造と従来IPS構造について、画素サイズ33μmから90μmの間における電極間隔との関係のグラフを図２０に示す。このグラフからもわかるように、本発明構造（図の白抜き丸）は従来IPS構造（図の黒塗り三角）に対して、同じ画素サイズに対して電極間隔を広く取れ、高開口化が可能となる。
【００５６】
なお、上述してきたこれらの設定値は、本実施例１で適用している設定値であり、特に限定されるものではなく、適宜設定されるべき値である。ただし、前記共通電極と前記画素電極がオーバーラップする領域で、前記画素電極は、前記共通電極から1μm以上外側にはみ出して形成することが望ましい。これにより、前記画素電極と、対向する側にある前記共通電極との間に、有効な横電界を形成することが可能になる。
【００５７】
また、本実施例１では、金属層にモリブデン合金を使用しているが、特にこれに限定されず、アルミニウム合金なども用いてよい。また、本実施例１では、薄膜半導体層４を形成後に、透明導電膜による画素電極２の形成、ソース電極３およびデータ線５の形成、薄膜半導体層４の不要なn-a-Si層のエッチング除去の工程順で作製したが、これに限定されず、例えば、薄膜半導体層４を形成後に、ソース電極３およびデータ線５の形成、薄膜半導体層４の不要なn-a-Si層のエッチング除去、透明導電膜による画素電極２の形成の工程順で作製してもよい。画素電極２及び共通電極１をＩＴＯ等の透明導電膜で形成することにより、液晶表示パネルの透過率を向上することができる。
【００５８】
以上説明したように、上述の構造を適用することにより、小さい画素サイズにおいても広く電極間隔をとることができ、開口率を大きくすることができる。また、前記画素電極と前記共通電極とがオーバーラップしているため、前記画素電極と対向して横電界を生ずるところの前記共通電極に対して反対の方向には、画素電極と共通電極の隙間が生じない。よって、この部分で、電圧−透過率特性が異なる領域が発生することがないため、効率よく表示を制御できる。
【００５９】
また、共通電極と画素電極とがオーバーラップしていることにより、この部分で蓄積容量を形成することができるため、これ以外の領域で形成する蓄積容量の面積を減ずることができ、さらに高開口率化が図れる。さらに、データ線からの電界を、データ線上に配置する共通電極だけでなく、これとオーバーラップするように配置する画素電極によってもシールドすることになるので、より電界のシールドが完全となる。
【００６０】
また、前記共通電極を液晶層に近い側にすることにより、前記画素電極と前記共通電極との間の絶縁膜を、前記共通電極と前記データ線との間の層間絶縁膜の全部もしくは一部で代用することができるため、絶縁膜の形成回数が少なくすることができて、より低コストで形成することができる。さらに、前記共通電極と前記データ線との間の層間絶縁膜を、前記共通電極と前記画素電極との間の層間絶縁膜と共通にすることができるため、絶縁膜の形成回数を最も少なくすることができる。
【実施例２】
【００６１】
次に、本発明の実施例２に係る横電界方式の液晶表示装置について、図３を用いて説明する。図３は、本発明の実施例２に係る液晶表示装置の１画素の構成を示す平面図である。図３に示す実施例２を、以下詳細に説明する。
【００６２】
実施例１では、図２１に示すように、液晶配向方位７を図のようにとった場合、画素電極２と共通電極１との間のコラムの端において発生する横方向電界２５によって生じる液晶の回転方向は、画素電極２と共通電極１が平行に延在している領域で発生する横方向電界８によって生じる液晶の回転方向とは逆方向になる。このため、図２１に示すようなディスクリネーション発生領域２６が画素内に生じて、透過率およびコントラストを低下させてしまい、また表示画面に指押しなどの外圧が加わったときの痕が残るムラが生じ、画質を著しく劣化させる要因となる。
【００６３】
これに対して、実施例２では、液晶配向方位７を図３のようにとった場合、画素電極２を画素内の開口領域上部にも配置させ、共通電極１からはみ出させる。これにより、共通電極１と画素電極２が近接している領域で発生する横方向電界２１は、液晶を逆方向に回転させる方向には発生しないため、ディスクリネーションの発生がなくなる。したがって、コラム端において、光利用効率を上げることができ、輝度・コントラスト等を向上できるとともに、指押し等の表示画面への圧力等に対しても、表示を安定させることができる。
【実施例３】
【００６４】
本発明の実施例３に係る横電界方式の液晶表示装置について、図４を用いて説明する。図４は、本発明の実施例３に係る液晶表示装置の１画素の構成を示す平面図である。図４に示す実施例３を、以下詳細に説明する。
【００６５】
実施例１では、液晶に電界を印加し液晶を回転させた状態で表示画面の垂直な方向から視野角を傾ける際、液晶分子の短軸方向に視野角を傾ける場合と、液晶分子の長軸方向に視野角を傾ける場合とで、リターデーション（Δｎ×液晶セルギャップ）が異なる。短軸方向に視野角を傾ける場合は、液晶の見かけの屈折率異方性は変化せず、また、液晶セルを透過する光路長は大きくなるため、リターデーションは大きくなり、見た目、黄色づく。一方、長軸方向に視野角を傾ける場合には、液晶の見かけの屈折率異方性が小さくなるため、光路長は長くなるものの、リターデーションは小さくなり、見た目、青色づく。このため、視野を振る方向によって、色味が変化する。
【００６６】
これに対し、実施例３では、データ線５、およびこれを覆う共通電極１、および、これに沿って配置させるストリップ状の画素電極２を液晶９の液晶配向方位７に関して対称な向きに屈曲させる。これにより、画素の屈曲させたところを境に、液晶の回転する方向が反対となり、液晶配向方位７に対して対称になる領域が生じ、この、両領域の液晶により、斜め視野からの長軸方向と短軸方向が補償し色つきを抑制することが可能となる。
【００６７】
また、図４のように、画素の上半分では、図で反時計回り方向に液晶が回転し、画素の下半分では、図で時計回りに液晶が回転する。これに伴い、それぞれの領域の液晶の回転方向に合わせた向きに液晶が回転するように、コラム端での横方向電界２１の向きを規定すべく、電極を配置してある。これにより、ディスクリネーションの発生を抑制することが可能となり、光利用効率を上げることができ、輝度・コントラスト等を向上できるとともに、指押し等の表示画面への圧力等に対しても、表示を安定させることができる。
【実施例４】
【００６８】
本発明の実施例４に係る横電界方式の液晶表示装置について、図５、図６を用いて説明する。図５は、本発明の実施例４に係る液晶表示装置の１画素の構成を示す平面図である。図６は、図５に示すＡ−Ａ’部の断面図であり、液晶層、対向基板も図示している。図５、図６に示す実施例４を、以下詳細に説明する。
【００６９】
実施例１では、画素電極２とソース電極３、データ線５は、共にゲート絶縁膜１２上に形成される。開口率を大きくするためには、データ線５と画素電極２の距離は極力小さくする必要がある。一方、距離を小さくすると短絡する可能性があり、データ線５と画素電極２が短絡した場合、その画素は常に意図しない駆動を起こし、表示画質を低下させることになる。
【００７０】
これに対し、実施例４では、画素電極２は、共通電極１より下側に配置し、また、ソース電極３およびデータ線５とは透明絶縁膜２３を挟むようにして形成する。さらに、画素電極２とソース電極３を電気的に導通させるため、パッシベーション膜１３にコンタクトホール２２を設ける。これにより、画素電極２とデータ線５の距離を小さくて開口率を大きくすると共に、短絡による表示画質の低下を抑制させることが可能となる。
【００７１】
製造方法としては、実施例１で示した薄膜半導体層４を形成させる工程までは同じであり、次に、ソース電極３およびデータ線５を、モリブデン合金を用い300nm形成させ、薄膜半導体層４の不要なn-a-Si層のエッチングを行った後に、パッシベーション膜１３として窒化シリコンを300nm堆積させる。次に、コンタクトホール２２を配置させ、透明導電膜による画素電極２を配置させる。次に、透明絶縁膜２３として窒化シリコンを300nm堆積させる。
【００７２】
次に、表示画面周辺に引き出された走査線６およびデータ線５の端子部で金属層を露出させるために、ゲート絶縁膜１２、およびパッシベーション膜１３の所定部分をエッチング除去する。
【００７３】
次に、ITO（Indium Tin Oxide）等の透明導電膜により、共通電極１を走査線６、およびデータ線５を覆うように、かつ、画素電極の一部を覆うように厚さ80nm形成させ、パタン加工する。共通電極１は、表示画面周辺に第一の金属層および、または第二の金属層によって形成された共通電極配線とコンタクトホールを介して導通されるが、図による詳細は省略している。
【実施例５】
【００７４】
本発明の実施例５に係る横電界方式の液晶表示装置について、図７、図８を用いて説明する。図７は、本発明の実施例５に係る液晶表示装置の１画素の構成を示す平面図である。図８は、図７に示すＡ−Ａ’部の断面図であり、液晶層、対向基板も図示している。図７、図８に示す実施例５を、以下詳細に説明する。
【００７５】
実施例１での画素電極２とデータ線５の短絡を抑制させるため、実施例５では、画素電極２は、共通電極１より上側に配置し、また、共通電極１上には、透明絶縁膜２３を形成する。さらに、パッシベーション膜１３および透明絶縁膜２３にコンタクトホール２２を設け、画素電極２とソース電極３との導通をとる。これにより、画素電極２とデータ線５の距離を小さくして開口率を大きくすると共に、短絡による表示画質の低下を抑制させることが可能となる。
【００７６】
また、画素電極２を共通電極１より上側に配置することにより、画素電極２とこれと離間して液晶層に横電界を印加する共通電極１との間の電界を液晶９に印加しやすくなるため、画素電極２と共通電極１との間の電圧を小さくすることができる。さらに、画素電極２を、これとオーバーラップする共通電極１からはみ出させる量も小さくすることができる。本実施例においては、0.5μmとした。その他、電極の幅等は、実施例１に順ずるようにした。
【００７７】
製造方法としては、実施例４のパッシベーション膜１３として窒化シリコンを堆積させる工程までは同じであり、次に、ITO（Indium Tin Oxide）等の透明導電膜により、共通電極１を走査線６、およびデータ線５を覆うように、厚さ80nm形成させ、パタン加工する。
【００７８】
次に、透明絶縁膜２３を窒化シリコン膜300nmで形成し、その後、パッシベーション膜１３および透明絶縁膜２３にコンタクトホール２２をソース電極３上に形成させ、同時に、表示画面周辺に引き出された走査線６およびデータ線５の端子部で金属層を露出させるために、ゲート絶縁膜１２、パッシベーション膜１３および透明絶縁膜２３の所定部分をエッチング除去する。
【００７９】
次に、ITO（Indium Tin Oxide）等の透明導電膜により、画素電極２を走査線６の延在方向に直交する方向に、また画素内の開口部となる領域の片側に寄せて、かつ共通電極１の一部を覆うようにストリップ状に300nmの厚さで形成する。なお、共通電極１は、表示画面周辺に第一の金属層および、または第二の金属層によって形成された共通電極配線とコンタクトホール、および、上層の透明導電膜を介して導通させているが、図による詳細は省略している。
【実施例６】
【００８０】
本発明の実施例６に係る横電界方式の液晶表示装置について、図９、図１０を用いて説明する。図９は、本発明の実施例６に係る液晶表示装置の画素I、画素IIの二種類の画素の構成を示す平面図である。図１０は、図９に示す画素IのＡ−Ａ’部の断面図と、図９に示す画素IIのＢ−Ｂ’部の断面図であり、ともに液晶層、対向基板も図示している。図９、図１０に示す実施例６を以下詳細に説明する。
【００８１】
実施例１ないし実施例５では、画素電極２を画素の片側に寄せている。したがって、表示面内のすべての画素において、共通電極１と画素電極２の位置関係は同じである。そのため、図１１に示す断面図のように、共通電極１と画素電極２がオーバーラップした領域での斜め電界２４により、液晶の立ち上がる方向が画素内の左右で非対称となる。この非対称な液晶の立ち上がりによる視野角特性の劣化を招くことになる。
【００８２】
この視野角特性を改善させるために、実施例６では、図９のように画素電極２を画素の左側に寄せる画素Iと、画素電極２を画素の右側に寄せる画素IIの二種類の画素を設ける。以上により、図１２に示すように、画素I、画素IIで共通電極１と画素電極２とがオーバーラップした領域での斜め電界２４による液晶の立ち上がり方向が反対となるために、両画素の視野角特性が補償されて、良好な視野角特性が得られる。
【００８３】
また、これらの二種類の画素は、それぞれコラムの端においてディスクリネーションが発生しないよう各電極が配置されている。液晶配向方位７を図９のようにとった場合、画素Iでは、画素下部で共通電極１から画素電極２をはみ出させ、画素IIでは、画素上部で共通電極１から画素電極２をはみ出させるようにする。これによりディスクリネーションの発生を抑制することができる。
【００８４】
また、画素I、画素IIそれぞれにおいて、共通電極１と画素電極２が重なる領域で形成される蓄積容量および画素電極２と走査線６が重なる領域で形成される蓄積容量の和がほぼ同じとなるように各電極および配線のパタンを配置させている。さらに、画素内の開口領域がほぼ同じになるように各電極を配置させることにより、画素I、画素IIの開口率をほぼ同じにさせている。
【実施例７】
【００８５】
本発明の実施例７に係る横電界方式の液晶表示装置について、図１３を用いて説明する。図１３は、本発明の実施例７に係る液晶表示装置の画素I、画素IIの二種類の画素の構成を示す平面図である。図１３に示す実施例７を以下詳細に説明する。
【００８６】
実施例６では、液晶に電界を印加し液晶を回転させた状態で表示画面の垂直な方向から視野角を傾ける際、液晶分子の短軸方向に視野角を傾ける場合と、液晶分子の長軸方向に視野角を傾ける場合とで、リターデーションが異なる。このため、視野を振る方向によって、色味が変化する。
【００８７】
そこで、実施例７では、データ線５、およびこれを覆う共通電極１、および、これに沿って配置させるストリップ状の画素電極２を液晶９の液晶配向方位７に関して対称な向きに屈曲させる。これにより、画素の屈曲させたところを境に、液晶の回転する方向が液晶配向方位７に対して対称になる領域が生じ、この、両領域の液晶により、斜め視野からの長軸方向と短軸方向が補償し色つきを抑制することが可能となる。
【００８８】
また、これらの二種類の画素は、それぞれディスクリネーションが発生しないように、また、透過率や蓄積容量がほぼ同じになるように、各電極パタンが加工されている。画素Iでは、画素上下で共通電極１から画素電極２をはみ出させ、画素IIでは、画素上下で共通電極１から画素電極２をはみ出させないようにする。これによりディスクリネーションの発生を抑制する。また、画素I、画素IIそれぞれにおいて、共通電極１と画素電極２が重なる領域で形成される蓄積容量および画素電極２と走査線６が重なる領域で形成される蓄積容量の和がほぼ同じとなるように各電極および配線のパタンを配置させている。さらに、画素内の開口領域がほぼ同じになるように各電極を配置させることにより、画素I、画素IIの開口率をほぼ同じにさせている。
【実施例８】
【００８９】
本発明の実施例８に係る横電界方式の液晶表示装置について、図１４を用いて説明する。図１４は、本発明の実施例８に係る液晶表示装置の表示画面を示す平面図である。図１４に示す『Ｌ』は、図９、または、図１３に示す画素Iの構造をもった青、緑、赤の３色のサブ画素を一単位とした画素を示し、また、図１４に示す『Ｒ』は、図９、または、図１３に示す画素IIの構造をもった青、緑、赤の３色のサブ画素を一単位とした画素を示す。
【００９０】
これらの『Ｌ』の画素と『Ｒ』の画素を、隣接する上下左右のどこにおいても交互に配置させることで、バランスよく良好な視野角特性が得られる。このように青、緑、赤の３色のサブ画素で同じ方向の共通電極と画素電極とがオーバーラップしている画素を配置することで、サブ画素内のＲＧＢごとで左右の視野角特性が異なることにより、斜め視野から色つきが生じるといった不具合を引き起こすことがなくなる。
【実施例９】
【００９１】
本発明の実施例９に係る横電界方式の液晶表示装置について、図１５を用いて説明する。図１５は、本発明の実施例９に係る液晶表示装置の表示画面を示す平面図である。図１５に示す『Ｌ』は、図９、または、図１３に示す画素Iの構造をもった青、緑、赤の３色のサブ画素を一単位とした画素を示し、また、図１５に示す『Ｒ』は、図９、または、図１３に示す画素IIの構造をもった青、緑、赤の３色のサブ画素を一単位とした画素を示す。さらに、図１５に示す『I』および『II』は、図９、または、図１３に示す『画素I』および『画素II』を示す。
【００９２】
図１５には、実施例８で示した、画素I、画素IIの配置パタン以外のものを４つ示している。なお、画素IIの配置パタンはこれらに限定されることはなく、適宜変更可能である。
【実施例１０】
【００９３】
本発明の実施例１０に係る横電界方式の液晶表示装置について、図２２を用いて説明する。図２２は、本発明の実施例１０に係る液晶表示装置のデータ線方向から見た１サブ画素の断面図である。ただし、便宜上、対向基板側および液晶層は省略している。図２２に示す実施例１０を、以下詳細に説明する。
【００９４】
実施例１０は、実施例１と同様な構造を有し、また製造方法も実施例１と同じである。図２２に示すように、画素電極２はオーバーラップする共通電極１から画素の内側方向にはみ出す領域を有し、このはみ出す領域の幅をａ、横電界を発生させる画素電極２と他方の共通電極１との間隔をｂとする。
【００９５】
実施例１においては、サブ画素サイズ42μm×14μm、データ線５の幅を3μm、データ線５をシールドする共通電極１の画素電極２とオーバーラップする方向の張り出し幅を3.5μm、反対側の張り出し幅を3μm、画素電極２の幅を3μmのもとで、ａ＝1.5μm、ｂ＝3μmとしていた。
【００９６】
実施例１０においては、サブ画素サイズを51μm×17μmとして、データ線５の幅を3μm、データ線５をシールドする共通電極１の画素電極２とオーバーラップする方向の張り出し幅を3.5μm、反対側の張り出し幅を3μmとした。このとき、ａ+ｂ＝7.5μmとなり図２３のグラフに示す関係となる。この関係をもとに、シミュレーションを実施したところ、最大透過率となる電圧と、画素電極２の共通電極１からの張り出し幅ａの関係は、図２４に示す結果となった。画素電極２の共通電極１からの張り出し幅ａを1.5μmとすると、図２４のグラフに示すように透過率を最大とする駆動電圧が７Ｖ以上となり、ドライバーICなどの駆動装置のコストが上昇してしまう等の問題が生じる。
【００９７】
そこで実施例１０では、ａ＝3μm、ｂ＝4.5μmとした。このようにすることにより、電圧が５Ｖ程度となり、適切な駆動が行えるようになった。また、ａ+ｂ＝7.5μmの関係をもとにしたシミュレーション結果から、最大透過率と、画素電極２の共通電極１からの張り出し幅ａの関係は、図２５に示す結果となり、透過率も上昇した。これは、画素電極２と共通電極１がオーバーラップする領域で形成されるフリンジ電界と、画素電極２のエッジと反対側の共通電極１の間隔で発生する横電界とのバランスで、前者に比べて、後者が十分強くないと、フリンジ電界の影響による液晶の立上りが強くなりすぎ、駆動電圧が上昇すると同時に透過率の低下が生じてしまう。検討の結果、ｂ／ａの値が３以下、望ましくは２以下となることにより、これらのバランスが取れて、電圧上昇を抑え、透過率が高く維持できることが判明した。また、本実施例は、図１の他、図３、図４、図５、図９、図１３、図１４、図１５に示す平面図の態様で適用することも可能である。
【実施例１１】
【００９８】
本発明の実施例１１に係る横電界方式の液晶表示装置について、図２６を用いて説明する。図２６は、本発明の実施例１１に係る液晶表示装置のデータ線方向から見た１サブ画素の断面図である。図２６に示す実施例１１を、以下詳細に説明する。
【００９９】
実施例１１は実施例５と同様な構造を有し、また製造方法も実施例５と同じである。実施例５では、サブ画素サイズ42μm×14μm、データ線５の幅を3μm、データ線５をシールドする共通電極１の画素電極２とオーバーラップする方向への張り出し幅を3.5μm、反対方向への張り出し幅を3μm、画素電極２の共通電極１からの張り出しａを0.5μm、画素電極２の幅を3μmとしていた。
【０１００】
図２６に示すように、共通電極１とオーバーラップする領域の画素電極２のエッジから隣接画素のブラックマトリクス１８のエッジまでの距離をｃとする。ｃがある程度以上小さい場合、共通電極１上に配置された画素電極２との間に発生した電界がデータ線５を挟んで隣接する画素の開口部まで浸入し、意図しない画素の液晶分子を駆動させることになり、表示画質は劣化することになる。
【０１０１】
検討の結果、画素電極２のエッジから、隣接画素のブラックマトリクス１８のエッジまでの距離ｃは6μm以上あることにより、良好な表示を得ることができることがわかった。実施例５の場合においては、ブラックマトリクス１８の幅をデータ線に対称に7μmとすることにより、上述の問題を避けることができる。下記の表に、検討したｃの値と表示画質の関係をまとめる。
2014066997.tif 000003
【０１０２】
実施例１１では、サブ画素サイズ42μm×14μm、データ線５の幅を2μm、データ線５をシールドする共通電極１の画素電極２とオーバーラップする方向への張り出し幅を3.5μm、反対方向への張り出し幅を2μm、画素電極２の共通電極１からの張り出しａを1.5μm、画素電極２の幅を2μmとした。また、データ線５に対向する部分でのブラックマトリクス１８の幅は6μmとした。このようにすることにより、隣接画素のブラックマトリクス１８までの距離ｃが7μmとなり、画素電極２と共通電極１のオーバーラップ部で生成されるフリンジ電界が隣接画素の透過部分まで侵入してくることがなくなるため、良好な表示を得ることができる。また、本実施例は、図７の他、図３、図４、図５、図９、図１３、図１４、図１５に示す平面図の態様で適用することも可能である。
【０１０３】
以上、上記各実施例を参照して本発明を説明したが、本発明は上記各実施例に限定されるものではない。本発明の構成や詳細については、当業者が理解し得るさまざまな変更を加えることができる。また、本発明には、上記各実施例の構成の一部又は全部を相互に適宜組み合わせたものも含まれる。
【産業上の利用可能性】
【０１０４】
本発明は、横電界方式のアクティブマトリクス型液晶表示装置及び該液晶表示装置を表示装置として利用する任意の機器に利用可能である。
【符号の説明】
【０１０５】
１  共通電極
２  画素電極
３  ソース電極
４  薄膜半導体層
５  データ線
６  走査線
７  液晶配向方位
８  横方向電界
９  液晶
１０  入射側偏光板
１１  第一透明絶縁性基板
１２  ゲート絶縁膜
１３  パッシベーション膜
１４、１５  配向膜
１６  オーバーコート
１７  色層
１８  ブラックマトリクス
１９  第二透明絶縁性基板
２０  出射側偏光板
２１  横方向電界（コラム端）
２２  コンタクトホール
２３  透明絶縁膜
２４  斜め電界
２５  横方向電界（コラム端）
２６  ディスクリネーション発生領域
１００  ガラス基板
１０１  凸形状部
１０２  第一絶縁膜
１０３  第二絶縁膜
１０４  共通電極
１０５  第二画素電極
１０６  データ配線
１０７  第一画素電極
１０８  蓄積容量電極
１０９  ＴＦＴ
１１０  共通電極配線
１１１  ゲート配線
１１２  第一コンタクトホール
１１３  第二コンタクトホール
【図１】
2014066997.tif 000004
【図２】
2014066997.tif 000005
【図３】
2014066997.tif 000006
【図４】
2014066997.tif 000007
【図５】
2014066997.tif 000008
【図６】
2014066997.tif 000009
【図７】
2014066997.tif 000010
【図８】
2014066997.tif 000011
【図９】
2014066997.tif 000012
【図１０】
2014066997.tif 000013
【図１１】
2014066997.tif 000014
【図１２】
2014066997.tif 000015
【図１３】
2014066997.tif 000016
【図１４】
2014066997.tif 000017
【図１５】
2014066997.tif 000018
【図１６】
2014066997.tif 000019
【図１７】
2014066997.tif 000020
【図１８】
2014066997.tif 000021
【図１９】
2014066997.tif 000022
【図２０】
2014066997.tif 000023
【図２１】
2014066997.tif 000024
【図２２】
2014066997.tif 000025
【図２３】
2014066997.tif 000026
【図２４】
2014066997.tif 000027
【図２５】
2014066997.tif 000028
【図２６】
2014066997.tif 000029